(57)【要約】  バイオ系吸収性物品を提供する。バイオ系吸収性物品は、トップシート、バックシート、及びその間に挟まれた吸収性コアを含む。トップシート及びバックシートは、対向する表面に沿って互いに取り付けられ、吸収性コアが中に封入される空洞を画定する。吸収性物品の成分は、該吸収性物品を構成する材料の少なくとも７５％がバイオ系材料を含み、好ましくは該吸収性物品を構成する材料の少なくとも８０％、８５％、９０％、及び９５％がバイオ系材料を含むように選択される。【選択図】図１
2018525170.tif 000002
【特許請求の範囲】
【請求項１】
トップシート、バックシート、及びそれらの間に配設された吸収性コアを含むバイオ系吸収性物品であって、前記吸収性物品は、前記吸収性物品の総重量に基づいて少なくとも７５重量パーセントのバイオ系材料含有量を有する、バイオ系吸収性物品。
【請求項２】
前記トップシート及び前記バックシートのうちの１つ以上が、スパンボンド複合繊維を含む不織布ウェブを含み、前記繊維がシース−コア構成を有する、請求項１に記載のバイオ系吸収性物品。
【請求項３】
前記繊維が、ポリ乳酸（ＰＬＡ）のコアと、バイオ系由来のポリエチレンポリマーを含むシースと、を有する、請求項１に記載のバイオ系吸収性物品。
【請求項４】
前記繊維が、ポリ乳酸（ＰＬＡ）のコアと、ポリプロピレンポリマーを含むシースと、を有する、請求項３に記載のバイオ系吸収性物品。
【請求項５】
前記繊維が、リグニン系ポリマーのコアと、バイオ系由来のポリエチレンを含むシースと、を有する、請求項３に記載のバイオ系吸収性物品。
【請求項６】
前記繊維が、（ＰＬＡ）のコアと、ＰＬＡを含むシースと、を含み、前記コアが、前記シースを構成する前記ＰＬＡポリマーの溶融温度よりも高い溶融温度を有する、請求項３に記載のバイオ系吸収性物品。
【請求項７】
前記トップシート及び前記バックシートが、バイオ系接着剤を用いて、互いに接着剤で接合される、請求項１に記載のバイオ系吸収性物品。
【請求項８】
前記吸収性コアが、バイオ系３−ヒドロキシプロピオン酸（３−ＨＰ）の氷アクリル酸への変換から誘導されるアクリルポリマーを含む、請求項１に記載のバイオ系吸収性物品。
【請求項９】
前記バックシートが、サトウキビ由来のポリエチレンポリマーのフィルム層を含む積層体を含み、前記フィルム層が、スパンボンド複合繊維を含む不織布ウェブに接着剤で積層され、前記繊維がシース−コア構成を有する、請求項１に記載のバイオ系吸収性物品。
【請求項１０】
前記不織布ウェブの前記繊維が、１）ポリ乳酸（ＰＬＡ）を含むコア及びバイオ系由来のポリエチレンポリマーを含むシース、２）ポリ乳酸（ＰＬＡ）のコアとポリプロピレンポリマーを含むシースとを含む繊維、３）リグニン系ポリマーのコアとバイオ系由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、請求項９に記載のバイオ系吸収性物品。
【請求項１１】
前記物品がおむつの形態である、請求項１に記載のバイオ系吸収性物品。
【請求項１２】
前記物品が女性用生理用パッドの形態である、請求項１に記載のバイオ系吸収性物品。
【請求項１３】
前記吸収性物品が、前記吸収性物品の総重量に基づいて少なくとも９０重量パーセントのバイオ系材料含有量を有する、請求項１に記載のバイオ系吸収性物品。
【請求項１４】
吸収性コアを有するコア領域と、前記コア領域を取り囲むシャーシ領域とを含むバイオ系吸収性物品であって、前記シャーシ領域は、前部領域、後部領域、及びウエスト領域を含み、一方、前記コア領域は、前記物品の少なくとも股部に位置し、液体不透過性のバックシートが、前記吸収性コアの衣類に面する側の少なくとも前記コア領域に配置され、液体透過性のトップシートが、前記吸収性コアの着用者に面する側の少なくとも前記コア領域に配置され、前記吸収性物品が、前記吸収性物品の総重量に基づいて、少なくとも７５重量パーセントのバイオ系材料含有量を有する、バイオ系吸収性物品。
【請求項１５】
前記シャーシ領域の前記後部領域に接合された一対の後部耳部と、前記シャーシ領域の前記前部領域に接合された一対の前部耳部とをさらに含む、請求項１４に記載のバイオ系吸収性物品。
【請求項１６】
前記前部領域と前記後部領域とを互いに接合するための締結システムをさらに含む、請求項１４に記載のバイオ系吸収性物品。
【請求項１７】
前記吸収性コアが、前記吸収性コアの総重量に基づいて少なくとも９０重量パーセントのバイオ系材料含有量を有する吸収性材料を含む、請求項１４に記載のバイオ系吸収性物品。
【請求項１８】
前記吸収性コアが、バイオ系３−ヒドロキシプロピオン酸（３−ＨＰ）の氷アクリル酸への変換から誘導されるアクリルポリマーを含む、請求項１４に記載のバイオ系７吸収性物品。
【請求項１９】
前記バックシートが、バイオ由来のポリエチレンポリマーのフィルム層を含む積層体を含み、前記フィルム層が、スパンボンド複合繊維を含む不織布ウェブに接着剤で積層され、前記繊維がシース−コア構成を有する、請求項１４に記載のバイオ系吸収性物品。
【請求項２０】
前記不織布ウェブの前記繊維が、１）ポリ乳酸（ＰＬＡ）を含むコア及びバイオ系由来のポリエチレンポリマーを含むシース、２）ポリ乳酸（ＰＬＡ）のコアとポリプロピレンポリマーを含むシースとを含む繊維、３）リグニン系ポリマーのコアとバイオ系由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、請求項１９に記載のバイオ系吸収性物品。
【請求項２１】
前記トップシートが、スパンボンド複合繊維を含み、前記繊維が、１）ポリ乳酸（ＰＬＡ）を含むコア及びサトウキビ由来のポリエチレンポリマーを含むシース、２）ポリ乳酸（ＰＬＡ）のコアとポリプロピレンポリマーを含むシースとを含む繊維、３）リグニン系ポリマーのコアとサトウキビ由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、シース−コア構成を有する、請求項１４に記載のバイオ系吸収性物品。
【請求項２２】
前記吸収性物品が、前記吸収性物品の総重量に基づいて少なくとも９０重量パーセントのバイオ系材料含有量を有する、請求項１４に記載のバイオ系吸収性物品。
【請求項２３】
前記物品の前記シャーシ領域に取り付けられたレッグカフをさらに含み、前記レッグカフは、スパンボンド−メルトブロウン−スパンボンド布地層を含み、前記スパンボンド及びメルトブロウンは、ＰＬＡを含む、請求項１４に記載のバイオ系吸収性物品。
【発明の詳細な説明】
【技術分野】
【０００１】
本発明は、一般に吸収性物品に関し、より詳細には、高いバイオ系含有量を有する吸収性物品に関する。
【背景技術】
【０００２】
使い捨て吸収性衣類は、おむつ、トレーニングパンツ、女性用ケア製品、及び成人用失禁製品を含む多くの用途を有する。典型的な使い捨て吸収性衣類は、液体透過性身体側ライナーと液体不透過性外側カバーとの間に配設された吸収性アセンブリを含む複合構造体として形成される。これらの成分は、弾性材料及び封じ込め構造などの他の材料及び特性と組み合わせて、使用目的に特に適合した製品を形成することができる。
【０００３】
例えば、おむつ及び成人用失禁製品のような着用可能な吸収性物品は、液体不透過性バックシートと、液体透過性トップシートと、トップシートとバックシートの間に配設された吸収性材料を含むコアと、を有する封じ込めアセンブリを含む。いくつかの用途では、吸収性物品は、着用者が座ったり、立ったり、動いたりすると、吸収性物品が着用者の腰で動いて適合することを可能にする弾性腰部機能をもまた含み得る。吸収性物品は、着用者の脚の周りに伸びて適合する弾性カフもまた含み得る。
【０００４】
従来、このような吸収性物品の製造に使用される多くの材料は、ポリエステル、ポリスチレン、ポリエチレン、及びポリプロピレンのような熱可塑性ポリマーから調製される。これらのポリマーは、一般に非常に安定しており、環境に長時間留まることができる。しかし、近年では、環境にやさしく持続可能であると考えられる物品及び製品を開発する傾向が見られる。この傾向の一部として、石油系材料の含有量を低減するために、増加した持続可能な含有量を含む環境にやさしい製品を製造することが望まれている。
【０００５】
したがって、バイオ系材料から調製された吸収性物品の必要性が依然として存在する。
【発明の概要】
【０００６】
一実施形態では、本発明の実施形態は、吸収性物品の総重量に基づいて、少なくとも７５重量パーセントのバイオ系材料含有量を有するバイオ系吸収性物品に関する。一実施形態では、バイオ系吸収性物品は、トップシート、バックシート、及びそれらの間に配設された吸収性コアを含み、吸収性物品は、吸収性物品の総重量に基づいて少なくとも７５重量パーセントのバイオ系物質含有量を有する。好ましくは、バイオ系材料の含有量は、吸収性物品の少なくとも８０重量％、８５重量％、９０重量％、または９５重量％である。
【０００７】
一実施形態では、１つ以上のトップシート及びバックシートは、複合繊維を含む不織布ウェブを含み、繊維がシース−コア構成を有する。好ましい実施形態では、ポリ乳酸（ＰＬＡ）のコアと、サトウキビ由来のポリエチレンなどのバイオ系由来のポリエチレンポリマーを含むシースと、を有する繊維である。別の実施形態では、ＰＬＡのコアと、ポリエチレンポリマーを含むシースと、を有する繊維である。またさらなる実施形態では、バイオ系吸収性物品は、リグニン系ポリマーのコアと、バイオ系由来のポリエチレンを含むシースと、を有する繊維を含む。
【０００８】
一実施形態では、バイオ系吸収性物品は、ＰＬＡのコアと、ＰＬＡを含むシースと、を有する繊維を含み、コアは、シースを含むＰＬＡポリマーの溶融温度よりも高い溶融温度を有する。特に、一実施形態では、コアは、シースを含むＰＬＡよりも低いｄ−エナンチオマー含有量を有するＰＬＡを含む。
【０００９】
好ましくは、トップシート及びバックシートは、バイオ系接着剤を用いて、互いに接着剤で接合される。
【００１０】
好ましい実施形態では、吸収性コアは、バイオ系３−ヒドロキシプロピオン酸（３−ＨＰ）の氷アクリル酸への変換から誘導されるアクリルポリマーを含む。いくつかの実施形態では、コアは、バイオ系獲得層がコアとトップシートとの間に配置された液体獲得システムを含むことができる。
【００１１】
一実施形態では、バックシートは、サトウキビ由来のポリエチレンポリマーのフィルム層を含む積層体を含み、該フィルム層が、複合繊維を含む不織布ウェブに接着剤で積層され、該繊維がシース−コア構成を有する。好ましい実施形態では、不織布ウェブの複合繊維は、１）ＰＬＡを含むコア及びバイオ系由来のポリエチレンポリマーを含むシース、２）ポリ乳酸ＰＬＡのコアとポリプロピレンポリマーを含むシースとを含む繊維、３）リグニン系ポリマーのコアとバイオ系由来のポリエチレンを含むシースとを有する繊維、または４）ＰＬＡのコアとＰＬＡを含むシースとを含む繊維であって、該コアが、該シースを構成する該ＰＬＡポリマーの溶融温度よりも高い溶融温度を有する、繊維を含む。
【００１２】
一実施形態では、バイオ系吸収性物品は、おむつの形態である。他の実施形態では、バイオ系吸収性物品は、女性用生理用パッドの形態である。
【００１３】
好ましい実施形態では、本発明は、吸収性コアを有するコア領域と、前記コア領域を取り囲むシャーシ領域とを含むバイオ系吸収性物品であって、前記シャーシ領域は、前部領域、後部領域、及びウエスト領域を含み、一方、前記コア領域は、前記物品の少なくとも股部に位置し、液体不透過性のバックシートが、前記吸収性コアの衣類に面する側の少なくとも前記コア領域に配置され、液体透過性のトップシートが、前記吸収性コアの着用者に面する側の少なくとも前記コア領域に配置され、前記吸収性物品が、前記吸収性物品の総重量に基づいて、少なくとも７５重量パーセントのバイオ系材料含有量を有する、バイオ系吸収性物品を提供する。
【００１４】
いくつかの実施形態では、シャーシ領域の後部領域に接合された一対の後耳部と、シャーシ領域の前部領域に接合された一対の前耳部とをさらに含む、バイオ系吸収性物品である。
【００１５】
いくつかの実施形態では、バイオ系吸収物は、前記前部領域と前記後部領域とを互いに接合するための締着システムをさらに含む。
【００１６】
本出願の目的のために、以下の用語は以下の意味を有するものとする。
【００１７】
本明細書で使用される場合、用語「吸収性物品」は、身体排出物を吸収して収容するデバイスを指し、より具体的には、身体から排出された様々な排泄物を吸収して収容するために、着用者の身体に定置してまたは身体に近接して配置されるデバイスを指す。
【００１８】
用語「使い捨て」は、本明細書では、洗濯されるか、または吸収性物品として再生または再使用されることを意図されていない吸収性物品を記載するために使用される（すなわち、それらは、一回の使用の後に廃棄されることが意図されており、好ましくはリサイクルされ、堆肥化され、または環境に適合した方法で配設されることが意図されている）。
【００１９】
「複合」吸収性物品は、別個のホルダー及びライナーのような別個の操作部分を必要としないように、調和された一つのものを形成するよう別個の部品を一体化して形成された吸収性物品を指す。
【００２０】
用語「おむつ」は、一般に、幼児及び失禁者によって着用され、着用者の胴体下の周りに着用される吸収性物品を指す。しかし、本発明は、失禁用ブリーフ、失禁用下着、おむつホルダー及びライナー、女性用衛生衣類などの他の吸収性物品にも適用可能であることを理解されたい。
【００２１】
本発明で使用される場合、用語「バイオ系材料（単数）」または「バイオ系材料（複数）」は、農業、林業、または将来の世代に残って利用できるように更新または補充される他の生物学的材料などの、自然のプロセスに由来する材料を指す。したがって、バイオ系材料は、合成ポリマーのように妥当な期間内に石油の供給が自然に補充されない場合、石油原料材料と対比させることができる。バイオ系ポリマーは、バイオ系材料由来である。バイオ系炭素含有量は、ＡＳＴＭ  Ｄ−６８６６によるＣ−１４法の助けを借りて検証することができ、最終使用消費者に対してバイオ系含有量の検証へのルートを提供する。
【００２２】
用語「繊維」は、有限長の繊維または無限長のフィラメントを指すことができる。
【００２３】
本明細書で使用される場合、用語「不織布ウェブ」は、織り合わされた個々の繊維または糸の構造を製造するために織りまたは編みプロセスを使用せずに形成された構造またはウェブであって、特定可能な反復方法ではないものを意味する。不織布ウェブは、従来、例えばメルトブロウンプロセス、スパンボンドプロセス、及びステープル繊維カーディングプロセスなどの従来の様々な方法によって形成されてきた。
【００２４】
本発明で使用される場合、用語「メルトブロウン」は、溶融熱可塑性材料を複数の微細な、通常は円形のダイキャピラリーを通して、溶融熱可塑性材料を減衰させて、高速ガス（例えば、空気）流に押し出すことによって繊維を形成するプロセスを意味し、こうして、直径が１０ミクロン未満などのマイクロファイバーの直径にすることができる。その後、メルトブロウン繊維は、ガス流によって運ばれ、収集表面に堆積されて、ランダムなメルトブロウン繊維のウェブを形成する。そのような方法は、例えば、Ｂｕｔｉｎらの米国特許第３，８４９，２４１号、Ｍｅｉｔｎｅｒらの米国特許第４，３０７，１４３号、及びＷｉｓｎｅｓｋｉらの米国特許第４，７０７，３９８号に開示されており、これらはその全体が参照により本明細書に組み込まれる。本発明の実施形態によるメルトブロウン繊維は、円形断面及び非円形断面を有することができる。
【００２５】
本発明で使用される場合、用語「スパンボンド」は、溶融熱可塑性材料を複数の微細な、通常は円形の紡糸口金のキャピラリーからフィラメントとして押し出し、フィラメントを機械的にまたは圧搾空気により減衰させて延伸することを含むプロセスを指す。紡糸口金オリフィスの構成に基づいて、円形及び非円形、例えば三葉、デルタなどの形状の繊維を含む、様々な断面形状の繊維を製造することができる。フィラメントは、収集表面上に堆積されてランダムに配置された実質的に連続的なフィラメントのウェブを形成し、その後それらを互いに結合して凝集性不織布を形成することができる。スパンボンド不織布ウェブの製造は、例えば、米国特許第３，３３８，９９２号、第３，６９２，６１３号、第３，８０２，８１７号、第４，４０５，２９７号、及び第５，６６５，３００号に示されている。一般に、これらのスパンボンドプロセスは、紡糸口金からフィラメントを押し出すこと、フィラメントを空気流で急冷して溶融フィラメントの凝固を促進すること、引っ張り力を加えることでフィラメントを減衰すること、空気の流れの中でフィラメントを一緒に運ぶことまたはそれらを機械の引取ロールの周りに機械的に巻き付けることのどちらか一方、延伸されたフィラメントを収集表面上に堆積させてウェブを形成すること、ならびにばらけたフィラメントのウェブを不織布に接着すること、を含む。接着は、任意の熱的または化学的接着処理であり得、熱的ポイント接着が典型的である。機械的及び水流交絡処理などの他の方法を使用することもできる。
【００２６】
本明細書で使用される場合、「熱的点接着」は、加熱カレンダーロールとアンビルロールとの間で接着される２本以上の繊維ウェブなどの材料を通過させることを含む。カレンダーロールは、典型的には、織物がその表面全体に接着されるのではなく、別個の点接着部位に接着されるようにパターン化される。
【００２７】
本明細書で使用される場合、用語「ポリマー」は、一般にホモポリマー、コポリマー、例えばブロック、グラフト、ランダム及び交互コポリマー、ターポリマーなど、ならびにそれらのブレンド及び変性を含むが、これらに限定されない。さらに、別途記載のない限り、用語「ポリマー」は、アイソタクチック、シンジオタクチック、及びランダムな対称を含む、材料の可能なすべての幾何学的構成を含むものとする。
【図面の簡単な説明】
【００２８】
このように本発明を一般的に説明したので、添付の図面を参照するが、必ずしも一定の縮尺で描かれていない。
【００２９】
【図１】本発明の少なくとも１つの実施形態に従う吸収性物品の図である。
【図２】図１の２−２線に沿った吸収性物品の断面図である。
【図３】本発明の少なくとも１つの実施形態に従う吸収性物品の図である。
【図４】吸収性物品が女性用生理用パッドの形態である本発明の少なくとも１つの実施形態による吸収性物品の図である。
【発明を実施するための形態】
【００３０】
本発明は、いくつかの実施形態が示されている添付の図面を参照して、以下でより完全に説明されるが、本発明の実施形態のすべてではない。実際に、これらの発明は、多くの異なる形態で実施されてもよく、本明細書に記載の実施形態に限定されるものと解釈されるべきではないし、むしろ、これらの実施形態は、本開示が適用可能な法的必要条件を満たすように提供される。同様の番号は、全体を通して同様の要素を指す。
【００３１】
本発明の実施形態は、高いバイオ系材料含有量を有する吸収性物品に関する。好ましくは、本発明の実施形態に従う吸収性物品は、吸収性物品の少なくとも７５重量％のバイオ系材料含有量を有し、例えば、８０重量％、８５重量％、９０重量％、または９５重量％のバイオ系材料含有量を含む。
【００３２】
いくつかの実施形態では、バイオ系材料は、バイオ系または生分解性ポリマー材料を含んでよい。「生分解性」とは、微生物の作用を含む環境条件下で劣化または分解する物質または製品を指す。したがって、特定の生分解性環境に一定時間曝露後に、特定の引っ張り強度の低減、及び／または、材料のピーク伸びまたは他の重要な物理的もしくは機械的特性が観察される場合、材料は生分解性であるとみなされる。定義された生物学的条件に依存して、バイオ系材料を含む製品は、生分解性であると考えられる場合と考えられない場合がある。
【００３３】
バイオ系材料で作られた特殊な種類の生分解性製品は、合成環境で劣化する可能性がある場合には堆肥化可能であると考えられる。欧州規格ＥＮ１３４３２「Ｐｒｏｏｆ  ｏｆ  Ｃｏｍｐｏｓｔａｂｉｌｉｔｙ  ｏｆ  Ｐｌａｓｔｉｃ  Ｐｒｏｄｕｃｔｓ」は、持続可能な含有量を含む織物またはフィルムが堆肥化可能であるかどうかを判断するために使用してよい。
【００３４】
一態様では、本発明の実施形態は、トップシート、バックシート、及びこれらの間に挟まれた吸収性コアを含む吸収性物品に関する。好ましくは、トップシートとバックシートは、対向する表面に沿って互いに取り付けられ、吸収性コアが封入される空洞を画定する。前述したように、吸収性物品の成分は、吸収性物品を構成する材料の少なくとも７５％がバイオ系材料を含み、好ましくは吸収性物品を構成する材料の少なくとも８０％、８５％、９０％、及び９５％がバイオ系材料を含むように選択される。
【００３５】
好ましくは、吸収性物品は、石油系材料及びポリマーのような合成材料を実質的に含まない。例えば、本発明に従う吸収性物品は、吸収性物品の総重量に基づいて、２５重量パーセント未満の非バイオ系材料であり、より好ましくは２０重量パーセント未満、１５重量パーセント未満、１０重量パーセント未満、さらにより好ましくは５重量パーセント未満の非バイオ系材料である。
【００３６】
本発明の実施形態に従う吸収性物品の例としては、おむつ、プルアップ、衛生パンツ、失禁用パンツなどのパンツ型吸収性物品、及び生理用ナプキンなどの女性用吸収性物品が挙げられる。一実施形態では、本発明は、使い捨ておむつなどの使い捨て吸収性物品に関する。
【００３７】
図１〜２を参照すると、本発明の実施形態に従うパンツ型吸収性物品（本明細書では単に「おむつ」と呼ぶ）が例示され、参照符号１０によって広く示されている。おむつ１０は、吸収性コア１４が配設されたコア領域１２を含む。シャーシ領域１６は、コア領域１２を取り囲んでいる。シャーシ領域は、前部１８、後部２０、及びウエスト領域２２を含む。コア領域１２は、一般に、おむつの股領域に配置され、おむつの前部領域１８及び後部領域２０の少なくとも一部に延びる。
【００３８】
図１に示すおむつは、一般に、着用者の下部を一対の吸収性パンツのように囲むように意図されている。図示のように、おむつは、着用者の脚が挿入される脚開口部２６ａ、２６ｂを含むことができる。図１の実施形態には示されていないが、おむつは、おむつ内に流体または排出物を収容するために、脚開口部の周囲に配設される弾性カフを含んでもよい。
【００３９】
いくつかの実施形態では、おむつはまた、ウエスト領域２２及び脚開口部２６ａ、２６ｂのうちの１つ以上の周りに配設された弾性要素２８を含んでよい。弾性要素は、おむつのトップシートとバックシートとの間に収縮可能に固定された弾性ひもまたは糸を含んでよい。
【００４０】
他の実施形態では、おむつの前部領域及び後部領域は、超音波、熱、接着剤シールなどによって隣接する長手方向縁部に沿って互いに接合されてもよい。
【００４１】
前部領域、後部領域、及びコア領域からなるシャーシ領域は、一般に、吸収性コアがその中に配設される空洞を画定するために、対向する表面に沿って互いに取り付けられた液体透過性トップシート及び液体不透過性バックシートを含む複合構造を有する。この関連で、図２は、トップシート３０とバックシート３２との間に挟まれた吸収性コア１４を示す、図１の線２−２に沿ったおむつの断面図を示す。
【００４２】
＜トップシート＞
トップシート３０は、吸収性コア１４の外面に隣接して配置され、好ましくは、当該技術分野で周知のような取り付け手段（図示せず）によってバックシート３２に接合される。例えば、トップシート３０は、接着剤の均一な連続層、接着剤のパターン層、または接着剤の別々のライン、螺旋、もしくはスポットのアレイによって、吸収性コア１４に確保されてもよい。
【００４３】
本明細書で使用されるように、用語「接合した」は、要素が他の要素に直接固定することによって要素が直接的に他の要素に確保される構成、及び要素が次に他の要素に固定される中間部材（複数可）に固定することによって要素が他の要素に間接的に確保される構成、を包含する。本発明の好ましい実施形態では、トップシート３０とバックシート３２とは、おむつ周縁部３６において互いに直接接合されており、取り付け手段（図示せず）によって吸収性コア１４に直接接合することによって間接的に接合される。
【００４４】
好ましくは、トップシート３０は柔軟であり、柔らかい感触であり、着用者の皮膚に対して刺激がない。さらに、トップシート３０は、液体（例えば、尿）が厚さを容易に貫通することを可能にする液体透過性である。適切なトップシートは、多孔性フォーム、網状発泡体、有孔プラスチックフィルム、または織布もしくは不織布ウェブ（例えば、木または綿繊維）、または天然及び合成繊維の組み合わせなどの広範囲の材料から製造することができる。
【００４５】
一実施形態では、トップシート３０は、吸収性コア１４内に収容された液体から着用者の皮膚を隔離するのを助けるために、疎水性材料で作られている。
【００４６】
いくつかの実施形態では、トップシートを界面活性剤で処理して、トップシートを通って吸収性コアに適切な液体輸送を確実にするのを助けることができる。適切な界面活性剤の例は、ＮＵＷＥＴ（商標）２３７の商標名にてＭｏｍｅｎｔｉｖｅ  Ｐｅｒｆｏｒｍａｎｃｅ  Ｍａｔｅｒｉａｌｓから入手可能である。
【００４７】
好ましくは、トップシートは、少なくとも７５重量パーセントのバイオ系材料を含む。バイオ系ポリマーの非限定的な例には、ポリヒドロキシアルカノエート（例えば、ポリ（ベータ−ヒドロキシアルカノエート）、ポリ（３−ヒドロキシブチレート−コ−３−ヒドロキシバレレート，ＮＯＤＡＸ（商標））、及びバクテリアセルロースなどの生命体から直接製造されたポリマー；多糖類及びその誘導体（例えば、ガム、セルロース、セルロースエステル、キチン、キトサン、デンプン、化学修飾したデンプン）、タンパク質（例えば、ゼイン、ホエイ、グルテン、コラーゲン）、脂質、リグニン、及び天然ゴムなどの植物及びバイオマスから抽出されたポリマー；ならびにバイオポリエチレン、バイオポリプロピレン、ポリトリメチレンテレフタレート、ポリ乳酸、ＮＹＬＯＮ１１、アルキド樹脂、コハク酸系ポリエステル、及びバイオポリエチレンテレフタレートのような天然由来の原料モノマー及び誘導体から誘導された現在のポリマー、が挙げられる。
【００４８】
好ましい実施形態では、バイオ系ポリマーは、ポリ乳酸及びバイオ系由来のポリエチレンを含む。一般に、ポリ乳酸系ポリマーは、デンプン、畑のトウモロコシ由来のデキストロースから調製される。北米では、糖への最終的な変換には植物デンプンが最も経済的な供給源であるため、トウモロコシが使用されている。しかしながら、デキストロースは、トウモロコシ以外の供給源から得ることができることを認識すべきである。糖は、微生物の使用により、発酵によって乳酸または乳酸誘導体に変換される。したがって、トウモロコシの他に、てんさい、サトウキビ、小麦、木材パルプ化から回収されたキシロースなどのセルロース系材料などを含む他の農業系の糖源を使用することができる。同様に、バイオ系ポリエチレンは、糖から調製することができ、糖が発酵されてエタノールを生成し、次に脱水されてエチレンが得られる。
【００４９】
一実施形態では、トップシート３０は、繊維がシース−コア構成を有するスパンボンド複合繊維を含む不織布ウェブを含むことができる。好ましい実施形態では、トップシートは、トウモロコシ系のポリ乳酸（ＰＬＡ）を含むコアと、サトウキビ由来のポリエチレンポリマーを含むシースとを有するスパンボンド複合繊維を含み、したがってほぼ１００％のバイオ系含有量のトップシートを提供する。トップシートとしての使用のために、そのような織物は、望ましくは親水性表面を提供するために上に示唆されたような界面活性剤で処理されてもよい。ＰＬＡ及びバイオ系ポリエチレンを含み、親水性表面を得るために界面活性剤処理された、それぞれ１３．５ＧＳＭ及び１７ＧＳＭの坪量を有する、Ｇｒａｄｅｓ  ０４０ＲＸＥＯ０９Ｐ及び０５０ＲＸＥＯ０９Ｐの不織布は、アメリカ合衆国２９６８１サウスカロライナ州ＳｉｍｐｓｏｎｖｉｌｌｅのＦｉｔｅｓａ  Ｎｏｎｗｏｖｅｎｓから入手可能である。
【００５０】
このようなスパンボンド複合織物中の繊維コアに適したＰＬＡポリマーの例は、ＰＬＡ  Ｇｒａｄｅ  ６２０２の商品名でＮａｔｕｒｅＷｏｒｋｓから入手可能である。適切なサトウキビ由来のポリエチレンの例は、商品名ＰＥ  ＳＨＡ７２６０でＢｒａｓｋｅｍ  Ｓ．Ａ．から入手可能である。有利には、ＰＬＡコアを有するスパンボンド複合繊維とサトウキビ由来ポリエチレンポリマーを含むシースとを含むトップシートは、ＰＬＡコアからの機械的強度とポリエチレンシースからの改善された柔軟性を提供する。
【００５１】
別の実施形態では、複合繊維のポリエチレンシースは、石油系ポリプロピレンポリマーで置き換えて、トップシートに５０％のバイオ系含有量を提供することができる。この実施形態で使用するのに好ましいポリプロピレンは、典型的には、例えばアメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃ．によって提供されている、ｇｒａｄｅｓ  Ｍ３７６６（メタロセンポリプロピレン）及び３７６４または３８６６（チーグラーナッタポリプロピレン）などの、２０〜４０ｇ／１０分（ＡＳＴＭ  Ｄ１２３８（１９０℃／２．１６ｋｇ）に従って測定）のメルトフローレート（ＭＦＲ）を有する。ＰＰ／ＰＬＡを含み、５０％のバイオ系含有量を示すこのような不織布は、それぞれ１３．５ＧＳＭ及び１７ＧＳＭの坪量を有する、Ｇｒａｄｅｓ  ０４ＰＸＢＯ０９Ｐ及び０５０ＰＸＢＧ０９Ｐとして、アメリカ合衆国２９６８１サウスカロライナ州ＳｉｍｐｓｏｎｖｉｌｌｅのＦｉｔｅｓａ  Ｎｏｎｗｏｖｅｎｓから入手可能である。
【００５２】
界面活性剤処理後に本発明の実施形態に従ってトップシートとして用いることができる不織布ウェブのさらなる例は、５０％のバイオ系含有量を提供する、コアがリグニン系のポリマーを含むスパンボンド複合繊維と、石油系ポリエチレンを含むシースとを含む。このような織物の例は、ヨーロッパ特許第２，６３０，２８５Ｂ１号の実施例４、５、６、７、８、及び９、ならびに米国特許公開第２０１４／００８７６１８号として開示されている。これらの実施例における石油系ポリエチレンシースを、Ｂｒａｓｋｅｍ  Ｓ．Ａから入手可能なサトウキビ由来のポリエチレンで、またはＮａｔｕｒｅＷｏｒｋｓから入手可能なトウモロコシ由来のＰＬＡで、上記に開示したポリマーの両方で置換することで、ほぼ１００％バイオ系含有量のトップシートを提供するだろう。
【００５３】
使用され得るトップシートのさらなる例は、（ＰＬＡ）のコアとＰＬＡを含むシースとを有するスパンボンド複合繊維を含む、界面活性剤処理された不織ウェブを含む。例えば、一実施形態では、コアは、シースに用いられる％Ｄ異性体ＰＬＡポリマーよりも低い％Ｄ異性体のポリ乳酸を有するＰＬＡを含むことができる。より低い％Ｄ異性体を有するＰＬＡポリマーは、糸紡ぎの間により高い応力誘起結晶化を示すが、より高いＤ％異性体を有するＰＬＡポリマーは、糸紡ぎの間により非晶質状態を保持する。非晶質シースがより多く接着すると接着が促進され、より高い結晶化度を示すコアは繊維に強度を与え、したがって最終接着ウェブに強度を与える。１つの特定の実施形態では、４％Ｄ異性体を有するＮａｔｕｒｅ  Ｗｏｒｋｓ  ＰＬＡ  Ｇｒａｄｅ  ＰＬＡ  ６７５２をシースとして使用することができ、２％Ｄ異性体を有するＮａｔｕｒｅＷｏｒｋｓ  Ｇｒａｄｅ  ６２０２をコアとして使用することができる。
【００５４】
本発明の実施形態に従うトップシートとして使用することができる不織布のさらなる例は、綿とポリプロピレンを含む熱接着カードウェブを含むことができる。使用される繊維に応じて、トップシート不織布として使用するのに望ましい親水性を達成するために、そのようなウェブは界面活性剤（前述のような）の添加を必要としてもしなくてもよい。このような織物を形成するのに有用なポリプロピレンステープル繊維の例は、Ｇｒａｄｅ  Ｔ−１９８としてＦｉｂｅｒｖｉｓｉｏｎｓ  Ｃｏｒｐｏｒａｔｉｏｎから入手可能である。このような不織布を形成するための綿繊維の例には、ＴＪ  Ｂｅａｌｌ  Ｃｏｍｐａｎｙから入手可能な商品名ＴＲＵＥＣＯＴＴＯＮ（商標）で販売されている繊維、及びＢａｒｎｈａｒｄｔ  Ｍａｎｕｆａｃｔｕｒｉｎｇ  Ｃｏｍｐａｎｙから入手可能な商品名ＨＩＧＨ−Ｑ  ＵＬＴＲＡ（商標）が挙げられる。
【００５５】
好ましくは、トップシートは、約８〜約２５グラム／平方メートル、より好ましくは約１２〜１７グラム／平方メートルの坪量を有する。
【００５６】
トップシート３０を製造するために使用され得る多くの製造技術が存在する。例えば、トップシート３０は、繊維の不織布ウェブであってもよい。トップシートが不織布ウェブを含む場合、ウェブは、スパンボンド、カード、ウェットレイド、メルトブロウン、ハイドロエンタングル、など上記の組み合わせなどであってもよい。好ましいトップシートは、繊維が互いに熱接着されて凝集性ウェブを形成するスパンボンド不織布を含む。
【００５７】
＜バックシート＞
バックシート３２は、吸収性コア１４の反対側の表面に隣接して配置され、好ましくは、当該技術分野において周知の取り付け機構（図示せず）によって接合される。適切な取り付け機構は、トップシート３０を吸収性コア１４に接合することに関して記載されている。あるいは、取り付け手段は、当該技術分野で知られているように、熱接着、圧力接着、超音波接着、動的機械的接着、または任意の他の適切な取り付け手段もしくはこれらの取り付け機構の組み合わせを含むことができる。
【００５８】
バックシート３２は、液体（例えば、尿）に対して不浸透性であり、薄いプラスチックフィルムから製造されることが好ましいが、他の可撓性液体不浸透性材料を使用することもできる。本明細書で使用される場合、用語「可撓性」は、柔軟であり、人体の一般的な形状及び輪郭に容易に適合する材料を指す。バックシート３２は、吸収コア１４に吸収されて収容された排出物が、例えば、ベッドシート及び下着など、おむつ１０に接触する物品が濡れるのを防止する。したがって、バックシート３２は、織物または不織布材料、熱可塑性フィルムなどのポリマーフィルム、またはフィルムでコーティングされた不織布材料などの複合材料を含むことができる。好ましくは、バックシートは、高含有量のバイオ系材料を含む熱可塑性フィルムである。バックシートは、約０．０１２ｍｍ（０．５ミル）〜約０．０５１ｍｍ（２．０ミル）の厚さを有することができる。
【００５９】
バックシートの材料は、先に説明したバイオ系ポリマーを含むことができる。例えば、バックシートに使用するためのバイオ系ポリマーは、ポリヒドロキシアルカノエート（例えば、ポリ（ベータ−ヒドロキシアルカノエート）、ポリ（３−ヒドロキシブチレート−コ−３−ヒドロキシバレレート，ＮＯＤＡＸ（商標））、及びバクテリアセルロースなどの生命体から直接製造されたポリマー；多糖類及びその誘導体（例えば、ガム、セルロース、セルロースエステル、キチン、キトサン、デンプン、化学修飾したデンプン）、タンパク質（例えば、ゼイン、ホエイ、グルテン、コラーゲン）、脂質、リグニン、及び天然ゴムなどの植物及びバイオマスから抽出されたポリマー；ならびにバイオポリエチレン、バイオポリプロピレン、ポリトリメチレンテレフタレート、ポリ乳酸、ＮＹＬＯＮ１１、アルキド樹脂、コハク酸系ポリエステル、及びバイオポリエチレンテレフタレートのような天然由来の原料モノマー及び誘導体から誘導された現在のポリマー、が挙げられる。
【００６０】
一実施形態では、バックシートは、先に論じたようなバイオ系ポリマーを含むフィルムであってもよい。一例では、フィルムは、Ｂｒａｓｋｅｍ  Ｓ．Ａ．から入手可能なｇｒａｄｅｓ  ＳＥＢ８５３またはＳＬＬ１１８／２１によって提供されるような、サトウキビ由来の低密度ポリエチレン（ＬＤＰＥ）を含むことができる。
【００６１】
一実施形態では、バックシートは、不織布ウェブに接合された液体不透過性フィルム層を有する積層構造を含むことができる。適切なフィルムは、前述のようにバイオ系ポリマーから調製することができる。一例では、フィルムは、積層体のためにＢｒａｓｋｅｍ  Ｓ．Ａ．によって推奨されたｆｉｌｍ  ｇｒａｄｅ  ＬＤＰＥ  ｐｏｌｙｅｔｈｙｌｅｎｅ  ｇｒａｄｅ  ＳＥＢ８５３／７２またはＳＰＢ６８１／５９のようなサトウキビ由来のポリエチレンポリマーを含むことができる。適切なフィルムは、流体のバリア特性をなお維持しながらフィルムの通気性を改善するために、ＣａＣＯ３のような添加剤を含むこともできる。
【００６２】
一実施形態では、積層されたバックシートに使用される不織布は、トップシートに関連して前述したようなバイオ系不織布を含むことができる。一実施形態では、そのような不織布は、８〜２５ｇ／ｍ２の坪量を有することができる。バックシート積層体のために、このような不織布は、好ましくは、界面活性剤を塗布することなく製造される。例えば、不織布ウェブは、繊維がシースコア構成を有するスパンボンド複合繊維を含むことができ、シース及び／またはコアは、サトウキビからのポリエチレン、トウモロコシからのＰＬＡ、または紙の木材パルプ製造から回収されたリグニンのような、かかるバイオ系ポリマーを含むことができる。
【００６３】
いくつかの実施形態では、バックシート層は、スパンボンド−メルトブロウン−スパンボンド（ＳＭＳ）構造を有する布地層に積層される、前述のようなバイオ系フィルム層を有する積層構造を含むことができる。そのような実施形態では、メルトブロウン層は、典型的には、１〜３ｇ／ｍ２の範囲の坪量を有し、スパンボンド層は、典型的には、８〜２５ｇ／ｍ２の範囲の坪量を有する。メルトブロウン層及びスパンボンド層のための適切なバイオ系材料は、前述した。
【００６４】
バックシート３２のサイズは、一般に、吸収コア１４のサイズと、選択された正確なおむつの設計によって決定される。例えば、いくつかの実施形態では、バックシート３２は、吸収コア１４を超えて、おむつ周縁部の周りに少なくとも約１．３ｃｍ〜約２．５ｃｍ（約０．５〜約１．０インチ）の最小距離だけ延びる、改質された砂時計形状を有する。
【００６５】
＜吸収性コア＞
吸収性コア１４は、流体及び排出物を吸収することができる任意の材料を含むことができる。好ましくは、吸収性コアは、少なくとも７５重量％のバイオ系料を含む。過去において、吸収性コアとして使用するのに適した材料には、セルロースパルプ、組織層、フラッフパルプなどのパルプが含まれていた。しかしながら、薄いおむつへの傾向は、ＨＹＳＯＲＢ（登録商標）の商標で販売されているＢＡＳＦから入手可能な超吸収性ポリマーのような合成超吸収性ポリマーによるパルプ含有量の増加への交換を必要としている。このような超吸水性ポリマーの使用量を増やすことにより、西ヨーロッパ及び米国で販売されている現在の薄いおむつの持続可能な含有量の重量％含有量が大幅に減少した。
【００６６】
本発明のおむつの好ましい実施形態は、相当のバイオ系材料含有量のモノマーを含む超吸収性ポリマーを含む。バイオ系アクリル酸モノマーの使用は、本発明の実施形態で使用され得るバイオ系超吸収性ポリマーへの経路の一例である。トウモロコシからの糖は、３−ヒドロキシプロピオン酸（３−ＨＰ）に変換され、その後、氷アクリル酸に変換される。得られたバイオ系氷アクリル酸は、バイオ系超吸水性ポリマーを製造するために使用される。一実施形態では、吸収性コアは、氷アクリル酸由来のバイオ系超吸収性ポリマーを含むことができる。そのようなバイオ系超吸収性ポリマーは、ＢＡＳＦ、Ｃａｒｇｉｌｌ、及びＮｏｖｏｚｙｍｅｓによって開発されている。９０重量％までのバイオ系原料ポリアクリル酸を含む超吸収性ポリマーが、米国特許公開第２０１３／０２７４６９７号に述べられている。
【００６７】
吸収性コア１４は、様々なサイズ及び形状（例えば、長方形、砂時計、「Ｔ」形、非対称など）で製造することができる。吸収性コアの構成及び構造はまた変化してもよい（例えば、吸収性コアは、変化するキャリパーゾーン、親水性勾配、超吸収性勾配、もしくはより低い平均密度及びより低い平均坪量獲得帯を、または１つ以上の層もしくは構造を、有することができる。）。しかしながら、吸収コア１４の総吸収能力は、おむつ１０の設計荷重及び意図された使用に適合しなければならない。さらに、吸収コア１４のサイズ及び吸収能力は、幼児から成人までの着用者に適応するように変更することができる。
【００６８】
いくつかの実施形態では、吸収性コアは、流体獲得分配システムを含むことができる。このシステムは、トップシート３０に隣接して、またはトップシート３０に近接して配置された獲得層を含むことができる。獲得層は、吸収コアに沿って流体を分配し、効率を改善し、流体漏れを低減または防止するのに役立つ。存在する場合、獲得層は、バイオ系材料に基づく獲得層（ＡＱＬ層）を含むことができる。一実施形態では、ＡＱＬＬは、７デニール中空ＰＬＡ−８２０  ２インチカット長ステープル繊維（テネシー州ジョンソン市、Ｆｉｂｅｒ  Ｉｎｎｏｖａｔｉｏｎｓ  Ｔｅｃｈｎｏｌｏｇｙ）と３デニールソリッドＰＬＡ−Ｔｙｐｅ８２１  ２インチ長ステープル繊維（テネシー州ジョンソン市、Ｆｉｂｅｒ  Ｉｎｎｏｖａｔｉｏｎｓ  Ｔｅｃｈｎｏｌｏｇｙ）を含むウェブをカーディングすることによって作製することができ、得られたウェブを、キスロールを介して加熱澱粉（ＣａｒｇｉｌｌのＴｙｐｅ  ＳＴＡＢＩＴＥＸ６５４０１）の懸濁液で処理し、得られた繊維及びデンプンのウェブを高温空気と蒸気加熱乾燥缶との組み合わせを介して高温に曝露してウェブを硬化及び乾燥させ、得られたウェブをロールに巻き取って、得られたロールを子ロールにスリットすることによって製造される。得られたＡＱＬ層布は、ほぼ１００％のバイオ系材料含有量で構成されてもよい。
【００６９】
いくつかの実施形態では、分配システムはまた、獲得層の下に配設される分配層を含むことができる。いくつかの実施形態において、分配層は、吸収性コアの粒子が乳児の皮膚に接触するのを防ぐために、吸収性コアの吸収性材料を覆うまたは包囲するコアカバーまたはコアラップであってもよい。典型的なコアラップの機能は、米国特許第５，４５８，５９２号に記載されている。好ましくは、コアラップは、吸収性材料の封じ込めを維持しながら、流体が吸収性コアに通過することを可能にする。一実施形態では、コアラップのための材料は、スパンボンドファブリック、スパンボンドメルトブロウンファブリック（ＳＭ）、またはＳＭＳファブリックを含むファブリック層を含むことができる。コアラップのスパンボンド層及びメルトブロウン層のための適切なバイオ系材料は、トップシートに関連して前述した。
【００７０】
ＳＭ織物またはＳＭＳ織物を含むコアラップの一例は、ポリプロピレンシース及びポリプロピレンメルトブロウン繊維を含む層に接合されたＰＬＡコアを有する含棒繊維を含む一つ以上のスパンボンド不織布層を含む。
【００７１】
ＳＭＳ織物を含むコアラップの別の例は、ＰＬＡシース（例えば、４％Ｄ異性体を有するＮａｔｕｒｅ  Ｗｏｒｋｓ  ＰＬＡ  Ｇｒａｄｅ  ＰＬＡ６７５２）及びＰＬＡコア（例えば、２％Ｄ異性体を有するＮａｔｕｒｅＷｏｒｋｓ  Ｇｒａｄｅ  ６２０２）を有する複合繊維を含むスパンボンド不織布層を含む。一実施形態では、ＳＭＳ織物のメルトブロウン層は、ＰＬＡメルトブロウン繊維（例えば、ＮａｔｕｒｅＷｏｒｋｓ  ＰＬＡ  ｇｒａｄｅ  ６２５２）を含むことができる。
【００７２】
第３の実施形態では、コアラップは、スパンボンド不織布層がポリプロピレンシースとＰＬＡコアとを含む複合繊維を含む、ＳＭＳ繊維を含むことができる。好適なプロピレンプロピレンの例は、典型的には、例えばアメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃ．によって提供されている、ｇｒａｄｅｓ  Ｍ３７６６（メタロセンポリプロピレン）及び３７６４または３８６６（チーグラーナッタポリプロピレン）などの、２０〜４０ｇ／１０分（ＡＳＴＭ  Ｄ１２３８（１９０℃／２．１６ｋｇ）に従って測定）のメルトフローレート（ＭＦＲ）を有する。ＰＬＡコアに適した材料は、ＮａｔｕｒｅＷｏｒｋｓから、ＰＬＡ  Ｇｒａｄｅ  ６２０２の商品名で入手可能である。
【００７３】
一実施形態では、ＳＭＳ織物に使用するメルトブロウン層は、国際出願第ＰＣＴ／ＵＳ２０１５／０８０９号に教示されたプロセスを用いて、ＰＰ／ＰＬＡを含むスパンボンド複合繊維から再生されたＰＬＡとポリプロピレンのブレンドを含むメルトブロウン繊維を含んでもよく、その内容は、参照により本明細書に組み込まれる。このようなメルトブロウンウェブは、一般に、上記の複合スパンボンド層のシースへの接着に適合し、高いバイオ系材料含有量のＳＭＳコアラップを提供する。
【００７４】
典型的には、コアラップに使用するためのスパンボンド複合ウェブは、約３０／７０〜７０／３０であり得るシース／コア比を有する。上記の例では、得られたＳＭＳの総秤量は約８ｇ／ｍ２〜約１５ｇ／ｍ２であり、メルトブロウン含有量は織物の全重量に基づいて約１０％である。
【００７５】
図３に関して、本発明の実施形態に従った吸収性物品（「おむつ」）の別の実施形態は、参照番号４０で示され広く示されている。前記に考察された実施形態において、おむつ４０は、吸収性コア４４が配設されたコア領域４２を含む。シャーシ領域４６は、コア領域４２を取り囲み、前部４８、後部５０、ならびに前部及び後ウエスト領域５２ａ、５２ｂを含む。前部領域、後部領域、及びコア領域からなるシャーシ領域は、一般に、吸収性コアがその中に配設される空洞を画定するために、対向する表面に沿って互いに取り付けられた液体透過性トップシート及び液体不透過性バックシートを含む複合構造を有する。
【００７６】
トップシート、バックシート、及び吸収性コアのための好適な材料は、前述した。
【００７７】
好ましい実施形態では、おむつの前部及び後部領域は、おむつのウエスト領域に配設された一対の耳部５４をもまた含む。（本発明で使用される場合、用語「配設される」は、おむつの要素（複数可）が、おむつの他の要素との一体構造として、または別個の要素として特定の場所または位置に形成（接合及び配置）されることを意味するために使用される。）耳部５４は、伸縮性サイドパネルがおむつの側面を伸縮させて、おむつに排泄物が充填されているときに、最初はおむつを着用者に適合してフィットさせ、着用の間ずっとこのフィット感を持続させることにより、より快適で輪郭に合ったフィットを提供する弾性的に伸長可能な特徴を提供する。
【００７８】
加えて、耳部５４は、おむつ４０を着用者に維持し、ウエストのフィット感を高めるために、以下に詳述する締結システムによって開発され維持される張力を向上させる着用力（張力）を発達させ維持する。図３に示すように、おむつは、後腰部領域５２ｂに近接しておむつシャーシの後部領域５０に接合される一対の後耳部５６ａ、５６ｂと、前ウエスト領域５２ａに近接しておむつシャーシの前側領域４８に接合された一対の前部耳部５８ａ、５８ｂと、を含む。
【００７９】
前部及び後部耳部は、接着剤結合、圧着、熱接着などの当技術分野で公知の任意の結合方法によって、シャーシ領域４６に接合することができる。他の実施形態では、前方及び／または後部耳部は、シャーシ領域に接合された別個の要素を含むことができ、シャーシ領域４６は、前部及び／または後部耳部の上に延びる層、要素、または基板を有する。例えば、各耳部は、おむつ４０の長手方向の縁６２まで、シャーシ領域の側縁６０から横方向外向きに延びる、おむつシャーシ領域の一部を含むことができる。一実施形態では、耳部は、一般におむつ４０の端縁６４からおむつ２０の長手方向縁６２の部分まで長手方向に延び、脚開口部を形成する（長手方向縁６２のこの部分は脚縁６６と呼ばれる）。いくつかの実施形態では、耳部は、トップシートまたはバックシートに接合された別個の布地またはウェブを含むことができる。他の実施形態では、各耳部は、吸収性コア４４の側縁を越えて延びるトップシート及びバックシートの一部によって形成されてもよい。
【００８０】
前耳及び後耳部は、伸張性、非伸縮性、弾性、または非弾性であり得る。前耳及び後耳部は、不織布ウェブ、織布ウェブ、ニット織物、ポリマー及びエラストマーフィルム、有孔フィルム、スポンジ、発泡体、スクリム、ならびにこれらの組み合わせ及び積層体から形成されてもよい。特定の実施形態において、前耳及び後耳部は、第１の不織布、エラストマー材料、及び、場合により、第２の不織布または他の同様の積層体を含むストレッチ積層体で形成されてもよい。好ましい実施形態では、前部及び後耳部は、バイオ系材料に由来する不織布を含む。好適なエラストマー材料は、天然ゴムなどの天然エラストマーを含んでよい。
【００８１】
好ましくは、耳部は少なくとも７５重量％のバイオ系材料から構成される。好ましい実施形態では、耳フラップは、ラミネート材料を含む。一実施形態では、耳部は、弾性材料を含む。他の実施形態では、耳部は、延伸性材料を含む。耳部はシャーシの一体部分とすることができ、例えば、トップシート及び／またはバックシートからサイドパネルとして形成することができる。あるいは、それらは、のり付け及び／または熱エンボスまたは圧着によって取り付けられた別個の要素であってもよい。いくつかの実施形態では、ランディング部８２にタブ８０を取り付けることを容易にし、着用者のウエスト周りの所定の位置にテープ付きおむつを維持するために、後部耳部が伸長可能であることが有利である。後部耳部はまた、最初は吸収性物品を着用者に快適に適合させ、吸収性物品が排泄物で充填されたときに着用の時間全体にわたってこのフィット感を持続させることにより、より快適で輪郭に合ったフィットを提供する。弾性耳部は、吸収性物品の側部が伸縮することを可能にするからである。
【００８２】
一実施形態では、後部耳部は、弾性フィルムが２つの不織布層との間に配設される、３層構造を含んでもよい。２つの不織布層は、同一でも異なっていてもよい。
【００８３】
上記の後部耳部を提供するための弾性フィルムを有する積層体のための不織布は、弾性フィルム織物積層体の機械的活性化を可能にして、弾性を提供して適切なフィット感を確保するのに十分高い横方向延伸性と、不織布及び得られる積層体の両方を高速変換ライン上で加工可能にするのに十分な方向性の安定性（機械方向の張力下での低いネックイン）との、２つの相反する性質のバランスを取らなくてはならない。このようなバランスのとれた相反する特性を提供する不織布の例は、欧州特許第２５２４０７７Ｂ１号及び米国特許公開第２０１４／００７２７８８号に教示され、特許請求されている。このような不織布を含む積層体は、米国特許第８，７２８，０５１号に教示され、特許請求されており、その内容は参照により本明細書に組み込まれる。
【００８４】
後部耳部の好ましい実施形態で使用するための織物及び積層体は、バイオ系材料含有量を含むという追加の課題を有し得る。一実施形態では、弾性フィルムへの積層のための不織布は、シースがサトウキビ由来のポリエチレンポリマーを含むように、繊維がシース−コア構造を有するスパンボンド複合繊維を含む。適切なサトウキビ由来ポリエチレンの例は、Ｂｒａｓｋｅｍ  Ｓ．Ａ．から商品名ＰＥ  ＳＨＡ７２６０として入手可能であり、コアは、石油系ポリプロピレンを含み、この実施形態で使用するのに好ましいポリプロピレンは、典型的には、例えばアメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃ．によって提供されている、ｇｒａｄｅｓ  Ｍ３７６６（メタロセンポリプロピレン）及び３７６４または３８６６（ザイグラーナッタポリプロピレン）などの、２０〜４０ｇ／１０分（ＡＳＴＭ  Ｄ１２３８（１９０℃／２．１６ｋｇ）に従って測定）のメルトフローレート（ＭＦＲ）を有する。
【００８５】
特に好ましい実施形態の不織布は、シースが上記のバイオ系由来のポリエチレンを含む複合シース／コアスパンボンド繊維織物（例えば、Ｂｒａｓｋｅｍ  ＳＡから入手可能）であり、コアは、米国特許公開第２０１４／００７２７８８号の実施例１、２、及び３に概説された手順に一般的に従うことによって不織布が加工される、Ｔｏｔａｌ  Ｍ３７６６ポリプロピレンである。上記の不織布は、例えば、吸収性物品が着用者に漏れのないフィット感及び快適性を提供するように、弾性フィルムに積層され、リングで圧延され、その後、伸縮性の後部耳部を有する吸収性物品を提供するため、現在の技術を介して、高速のおむつを取り付けるステップを変換して、吸収性物品に組み込まれる。
【００８６】
好ましい実施形態では、前部耳部は、スパンボンド織物またはＳＭＳ織物を含んでよい。前部耳部を形成する好適な材料は、前述したように、トップシート、バックシート、またはレッグカフに関連するバイオ系材料を含んでよい。好ましくは、前部耳部は、２５〜５０ｇ／ｍ２の秤量を有する布地層を含む。
【００８７】
一実施形態では、おむつ４０は、流体及び他の身体排出物の改善された封じ込めを提供するための弾性レッグカフ７０を含むこともできる。各弾性レッグカフ７０は、脚領域における身体排出物の漏出を低減するためのいくつかの異なる実施形態を含むことができる。（脚カフは、時には、脚バンド、サイドフラップ、バリアカフ、または弾性カフとも呼ばれる。）１９７５年１月１４日にＢｕｅｌｌによって発行された「Ｃｏｎｔｒａｃｔａｂｌｅ  Ｓｉｄｅ  Ｐｏｒｔｉｏｎｓ  ｆｏｒ  ａ  Ｄｉｓｐｏｓａｂｌｅ  Ｄｉａｐｅｒ」と題する米国特許第３，８６０，００３号には、サイドフラップと１つ以上の弾性部材とを有する弾性レッグカフ（ガスケッティングカフ）を提供する使い捨ておむつが記載されている。１９９０年３月２０日にＡｚｉｚ及びＢｌａｎｅｙによって発行された「Ｄｉｓｐｏｓａｂｌｅ  Ａｂｓｏｒｂｅｎｔ  Ａｒｔｉｃｌｅ  Ｈａｖｉｎｇ  Ｅｌａｓｔｉｃｉｚｅｄ  Ｆｌａｐｓ」と題する米国特許第４，９０９，８０３号は、脚の領域の閉じ込めを改善するための「スタンドアップ」弾性フラップ（バリアカフ）を有する使い捨ておむつを記載している。１９８７年９月２２日にＬａｗｓｏｎによって発行された「Ａｂｓｏｒｂｅｎｔ  Ａｒｔｉｃｌｅ  Ｈａｖｉｎｇ  Ｄｕａｌ  Ｃｕｆｆｓ」と題する米国特許第４，６９５，２７８号は、ガスケット付きカフとバリアカフを含む二重カフを有する使い捨ておむつを記載している。１９８７年１１月３日にＢｕｅｌｌによって発行された「Ｄｉｓｐｏｓａｂｌｅ  Ｗａｉｓｔ  Ｃｏｎｔａｉｎｍｅｎｔ  Ｇａｒｍｅｎｔ」と題された米国特許第４，７０４，１１５号には、衣服内に自由液体を収容するように構成された側端漏れガードガータを有する使い捨ておむつまたは失禁用衣類が開示されている。これらの特許の各々は、参照により本明細書に組み込まれる。「Ｇａｒｍｅｎｔ  Ｈａｖｉｎｇ  Ｅｌａｓｔｏｍｅｒｉｃ  Ｌａｍｉｎａｔｅ」と題された米国特許第６，４７６，２８９号は、本発明の実施形態でも使用され得る様々な弾性レッグカフ構成を記載する。
【００８８】
好ましい実施形態では、レッグカフは、レッグカフ構造に組み込まれた複数の弾性ストランドを含むＳＭＳ構造を有する布地層を含んでよい。好ましくは、レッグカフは、液体バリア特性を有する材料を含む。
【００８９】
レッグカフを形成するのに使用する布の一例は、ポリプロピレンシースとＰＬＡコアとを有する複合繊維を含むスパンボンド不織布層を有するＳＭＳ織物を含む。この実施形態で使用するポリプロピレンの例は、典型的には、例えばアメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃ．によって提供されている、ｇｒａｄｅｓ  Ｍ３７６６（メタロセンポリプロピレン）及び３７６４または３８６６（チーグラーナッタポリプロピレン）などの、２０〜４０ｇ／１０分（ＡＳＴＭ  Ｄ１２３８（１９０℃／２．１６ｋｇ）に従って測定）のメルトフローレート（ＭＦＲ）を有する。ＰＬＡコアとしての使用に適した材料は、Ｎａｔｕｒｅ  Ｗｏｒｋｓ  ＰＬＡから２％Ｄ異性体を有するＧｒａｄｅ  ６２０２として入手可能である。メルトブロウン層は、例えば、アメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃの提供するような、１，３００ｇ／１０分のＭＦＲ（ＡＳＴＭ  Ｄ１２３８（１９０℃／２．１６ｋｇ）に従って測定）を有するポリプロピレンを含むことができる。
【００９０】
第２の例では、レッグカフは、ＰＬＡシース及びＰＬＡコアを有する複合繊維を含むスパンボンド不織層と、ＰＬＡ繊維を含むメルトブロウン層とを有するＳＭＳ織物を含むことができる。シースとして使用するのに適したＰＬＡ材料の例は、４％Ｄ異性体を有するＰＬＡ  ｇｒａｄｅ  ６７５２であり、コアとして使用するのに適したＰＬＡ材料の例は、２％Ｄ異性体を有するＰＬＡ  ｇｒａｄｅ  ６２０２であり、いずれもＮａｔｕｒｅＷｏｒｋｓから入手可能である。ＰＬＡメルトブロウン繊維に適した材料はＰＬＡ  ｇｒａｄｅ  ６２５２であり、ＮａｔｕｒｅＷｏｒｋｓからも入手可能である。
【００９１】
第３の実施形態では、レッグカフは、スパンボンド不織布層がポリプロピレンシース及びＰＬＡコアを有する複合織物を含む、ＳＭＳ構造を有する織物を含むことができる。シース及びコアのための適切な材料の例は、前述した。メルトブロウン層は、国際出願ＰＣＴ／ＵＳ２０１５／０１２６５８に教示されたプロセスを用いて、ＰＰ／ＰＬＡを含むスパンボンド複合繊維から再生されたＰＬＡとポリプロピレンとのブレンドを含むメルトブロウン繊維を含んでよい。
【００９２】
第４の実施形態では、レッグカフは、スパンボンド不織布層がＰＬＡシース及びＰＬＡコアを有する複合繊維を含むＳＭＳ構造を有する繊維を含むことができる。シース及びコアのための適切な材料の例は、前述した。前述の第３の実施形態のように、メルトブロウン層は、国際出願ＰＣＴ／ＵＳ２０１５／０１２６５８に教示されたプロセスを用いて、ＰＰ／ＰＬＡを含むスパンボンド複合繊維から再生されたＰＬＡとポリプロピレンのブレンドを含むメルトブロウン繊維を含んでよい。
【００９３】
好ましくは、レッグカフを形成するためのスパンボンド布地は、約３０／７０〜７０／３０のシース／コア比を有する。一実施形態では、ＳＭＳ織物の坪量は、約８ｇ／ｍ２〜１５ｇ／ｍ２である。好ましくは、メルトブロウン含有量は、ＳＭＳ織物の総重量に基づいて約１０〜３０重量％を含む。いくつかの実施形態では、レッグカフを形成するのに使用するＳＭＳ織物は、ＩＮＤＡ試験方法ＷＳＰ８０．６に従って測定して約５０ｍｍを超えるｈｙｄｒｏｈｅａｄ値を有する。
【００９４】
前述の実施形態と同様に、おむつ４０は、ウエスト領域５２及び弾性カフのうちの１つ以上の周りに配設される弾性要素を含むこともできる。例えば、おむつは、改善された適合及び封じ込めを提供するのを助ける少なくとも１つの弾性腰部特性（図示せず）を含むこともできる。弾性腰部特性は、一般に、弾性的に拡張し収縮して着用者の腰に動的にフィットするように意図されている。弾性腰部特性は、好ましくは、吸収性コアの少なくとも１つの腰縁部から少なくとも長手方向外向きに延び、一般に吸収性物品の端縁部の少なくとも一部を形成する。使い捨ておむつは、２つの弾性腰部特性を有するように構成することができ、１つは前ウエスト領域に配置され、１つは後ウエスト領域に配置される。弾性腰部特性は、米国特許第４，５１５，５９５号、米国特許第４，７１０，１８９号、米国特許第５，１５１，０９２号、及び米国特許第５，２２１，２７４号に記載されているものを含む多くの異なる構成で構成することができる。
【００９５】
いくつかの実施形態では、弾性特性は、おむつのトップシートとバックシートとの間に収縮可能に固定された弾性ストランドまたは糸、を含む弾性要素を含むことができる。このようなストランドまたは糸は、天然ゴムのようなバイオ系材料で構成することができる。上記のように、天然ゴムストランドは、弾性部材が着用者の皮膚に直接接触しないことを保証するために、トップシート及び／またはバックシートのような不織布によって覆われている。
【００９６】
吸収性物品は、締結システムを含んでよい。締結システムは、吸収性物品の周囲に横方向の張力を与えて、吸収性物品を着用者に保持するのに使用され、テープ付きおむつに典型的である。この締結システムは、これらの物品のウエスト領域が既に接着されているので、トレーニングパンツまたは成人用失禁吸収性物品のような、吸収性物品のプルオンスタイルには必要ではない。
【００９７】
締結システムは、通常、テープタブ、フック及びループ締結成分などの締結具、タブ＆スロット、バックル、ボタン、スナップ、及び／または雌雄同体締結部品などの連結締結具、などの締結具を含むが、任意の他の公知の締結手段も、一般に受け入れ可能である。締結具を着脱自在に取り付けるために、通常、ランディング部が前ウエスト領域に設けられている。締結されると、締結システムは、前ウエスト領域５２ａと後ウエスト領域５２ｂとを相互に連結する。締結されると、おむつ４４は、外接するウエスト開口部と、２つの外接脚開口部とを含む。
【００９８】
締結システムは、係合部材８０及び受け入れ部材８２（ランディング部とも呼ばれる）を備えることができる。係合部材８０は、フック、ループ、接着剤、粘着剤、タブ、または他の締結機構を含むことができる。受け入れ部材８２は、係合部材８０を受け入れることができるフック、ループ、スロット、接着剤、粘着剤、または他の締結機構を含むことができる。適切な係合部材８０と受け入れ部材８２の組み合わせは、当該技術分野において周知であり、フック／ループ、フック／フック、接着剤／ポリマーフィルム、が挙げられるが、これらに限定されない。適切には、締結システムは、バイオ系材料に由来するポリマーを含むことができる。
【００９９】
この関連で、図３は、係合部材が、後部耳部５６ａ、５６ｂに結合された一対のタブ８０と、おむつ４０の前面８４に配設された関連する着地ゾーン８２と、を含む締着システムを示す。いくつかの実施形態では、タブは、タブをランディング部に接着剤で取り付けるための感圧接着剤を含むことができる。
【０１００】
いくつかの例示的な表面締結システムは、米国特許第３，８４８，５９４号、米国特許第４，６６２，８７５号、米国特許第４，８４６，８１５号、米国特許第４，８９４，０６０号、米国特許第４，９４６，５２７号、米国特許第５，１５１，０９２号、及びＢｕｅｌｌに発行された米国特許第５，２２１，２７４号に記載されている。例示的なインターロッキング締結システムは、米国特許第６，４３２，０９８号に開示されている。締結システムはまた、Ｒｏｂｅｒｔｓｏｎらによって発行された米国特許第４，９６３，１４０号に開示されているように、物品を使い捨て構成に保持するための手段を提供することができる。
【０１０１】
締結システムはまた、米国特許第４，６９９，６２２号に開示されるように、重複部分のシフトを低減するため、または国特許第５，２４２，４３６号、米国特許第５，４９９，９７８号、米国特許第５，５０７，７３６号、及び米国特許第５，５９１，１５２号に開示されるように、フィット感を向上させるための、一次及び二次締結システムを含むことができる。
【０１０２】
好ましい実施形態では、締結システムは、米国特許第９，０８４，７０１号に記載されているようなフック及びループを使用することができ、フック及びループ成分の両方が、相当のバイオ系材料含有量を含む。好ましい実施形態では、フック及びループ締結システムは、繊維材料から作製された雌型締結材料と、繊維材料用に構成されたフックを備えた雄型締結材料とを含む。
【０１０３】
一実施形態では、雌ループ材料は、ＰＬＡを有するスパンボンド複合繊維などのバイオ系材料と、サトウキビ由来のポリエチレンポリマーを含むシースとを含む結合複合繊維を含む。このような材料の例については、上述した通りである。コアのための適切なＰＬＡポリマーの例は、ＮａｔｕｒｅＷｏｒｋｓからＰＬＡ  Ｇｒａｄｅ  ６２０２として入手可能である。
【０１０４】
５０％バイオ系材料含有量を提供する雌型ループ成分として使用するための第２の繊維は、石油系ポリプロピレンポリマーのシースと、ＰＬＡ  Ｇｒａｄｅ  ６２０２の商品名でＮａｔｕｒｅＷｏｒｋｓに由来するＰＬＡコアとを含む。この実施形態で使用するのに好ましいポリプロピレンは、典型的には、例えばアメリカ合衆国７７５７１テキサス州Ｌａ  ＰｏｒｔのＴｏｔａｌ  Ｐｅｔｒｏｃｈｅｍｉｃａｌｓ  ａｎｄ  Ｒｅｆｉｎｉｎｇ  ＵＳＡ，Ｉｎｃ．によって提供されている、ｇｒａｄｅｓ  Ｍ３７６６（メタロセンポリプロピレン）及び３７６４または３８６６（チーグラーナッタポリプロピレン）などの、２０〜４０ｇ／１０分（ＡＳＴＭ  Ｄ１２３８（１９０℃／２．１６ｋｇ）に従って測定）のメルトフローレート（ＭＦＲ）を有する。
【０１０５】
５０％のバイオ系材料含有量を提供する、コアがリグニン系のポリマーを含むスパンボンド複合繊維と、石油系ポリエチレンを含むシースとを含む、雌ループ材料を構築するための繊維のさらなる例が含まれる。このような繊維は、欧州特許第２，６３０，２８５Ｂ１号及び米国特許公開第２０１４／００８７６１８号の実施例４、５、６、７、８、及び９として開示されている。
【０１０６】
これらの実施例における石油系ポリエチレンシースを、Ｂｒａｓｋｅｍ  Ｓ．Ａから入手可能なサトウキビ由来のポリエチレンで、またはＮａｔｕｒｅＷｏｒｋｓから入手可能なトウモロコシ由来のＰＬＡで、上記に開示したポリマーの両方で置換することで、１００％までのバイオ系材料含有量の繊維を提供するだろう。
【０１０７】
雌型ループ材料を構築するために使用することができる繊維のさらなる例は、（ＰＬＡ）のコアとＰＬＡを含むシースとを有するスパンボンド複合繊維である。例えば、一実施形態では、コアは、シースに用いられる％Ｄ異性体ＰＬＡポリマーよりも低い％Ｄ異性体のポリ乳酸を有するＰＬＡを含むことができる。より低い％Ｄ異性体を有するＰＬＡポリマーは、糸紡ぎの間により高い応力誘起結晶化を示すが、より高いＤ％異性体を有するＰＬＡポリマーは、糸紡ぎの間により非晶質状態を保持する。非晶質シースがより多く接着すると接着が促進され、より高い結晶化度を示すコアは繊維に強度を与え、したがって最終接着ウェブに強度を与える。
【０１０８】
１つの特定の実施形態では、４％Ｄ異性体を有するＮａｔｕｒｅ  Ｗｏｒｋｓ  ＰＬＡ  Ｇｒａｄｅ  ＰＬＡ６７５２をシースとして使用することができ、２％Ｄ異性体を有するＮａｔｕｒｅＷｏｒｋｓ  Ｇｒａｄｅ  ６２０２をコアとして使用することができる。
【０１０９】
少なくとも５０％のバイオ系材料含有量を提供する、雌型ループ材料で使用するための繊維のさらなる例は、綿繊維と石油系ポリマー、例えばポリプロピレンとの５０／５０ブレンドを含むことができる。このような織物を形成するのに有用なポリプロピレンステープル繊維の例は、Ｇｒａｄｅ  Ｔ−１９８としてＦｉｂｅｒｖｉｓｉｏｎｓ  Ｃｏｒｐｏｒａｔｉｏｎから入手可能である。このような不織布を形成するための綿繊維の例には、ＴＪ  Ｂｅａｌｌ  Ｃｏｍｐａｎｙから入手可能な商品名ＴＲＵＥＣＯＴＴＯＮ（商標）で販売されている繊維、及びＢａｒｎｈａｒｄｔ  Ｍａｎｕｆａｃｔｕｒｉｎｇ  Ｃｏｍｐａｎｙから入手可能な商品名ＨＩＧＨ−Ｑ  ＵＬＴＲＡ（商標）が挙げられる。
【０１１０】
好ましい実施形態のために、この締結システムに使用される雄型フックはまた、相当の持続可能な含有量を含む。フックを含む雄型締結材料は、使用されるポリマーが、ＮａｔｕｒｅＷｏｒｋｓから入手可能なようなトウモロコシ由来のＰＬＡである場合、鋳造、成形、輪郭押し出し、またはマイクロ複製によって作製することができる。ＮａｔｕｒｅＷｏｒｋｓは、Ｇｒａｄｅｓ  ３００１Ｄ、３０５２Ｄ、３１００ＨＰ、３２５１Ｄを含むフックなど、フックを作るのに使用できる射出成形用グレードを提供している。
【０１１１】
いくつかの実施形態では、おむつはまた、流体獲得配分システムを含むことができる。この関連で、図３は、少なくとも流体獲得層９０を有するシステムを含む。上述したように、獲得層は、流体を吸収性コア４４に効率的に伝達するのを助ける。獲得層として有用な織物については、前述した。
【０１１２】
図４を参照すると、本発明の一実施形態による吸収性物品のさらなる実施形態が示されており、吸収性物品は、参照符号１００で広く示されている女性用生理用パッドの形態である。
【０１１３】
パッド１００は、トップシート１０２、バックシート１０４、及びそれらの間に配設された吸収性コア１０６を含むことができる。好ましくは、トップシート１０２及びバックシート１０４は、パッド１００の周縁１１０の周りに延びる連続シーム１０８を画定するために、対向する外縁に沿ってお互いに接合される。連続シーム１０８は、トップシートとバックシートとを互いに熱接着することによって形成されたヒートシールを含むことができる。他の実施形態では、トップシートとバックシートとを互いに接着することによって連続シーム１０８が形成される。好ましくは、接着剤は、前述したようにバイオ系接着剤である。
【０１１４】
上述した実施形態のように、パッド１００は、パッドの総重量に基づいて、パッドの少なくとも８０重量％、８５重量％、９０重量％、または９５重量％のバイオ系材料含有量を含むように、少なくとも７５重量パーセントのバイオ系材料含有量を含む。
【０１１５】
トップシート、バックシート、及び吸収性コアのための好適な材料は、前述した。
【０１１６】
いくつかの実施形態では、パッド１００は、吸収性コア１０６とトップシート１０２との間に配設された流体獲得層１１２もまた含み得る。流体獲得層１１２のための好適な材料は、前述した。
【０１１７】
吸収性物品の様々な構成要素は、典型的には、熱接着または接着剤接着によって接合される。接着剤が使用される場合、接着剤は、好ましくは、バイオ系接着剤を含む。バイオ系接着剤の例は、Ｄａｎｉｍｅｒ  Ｓｃｉｅｎｔｉｆｉｃから製品コード９２７２１で入手可能な感圧接着剤である。
【０１１８】
上記の例では、ＰＬＡは、一般的にトウモロコシに由来するという観点から議論されている。しかし、当業者は、ＰＬＡポリマーが乳酸に変換され得る他のバイオ系材料に由来し得ることを認識するであろう。ＰＬＡを製造するための材料の例としては、てんさい、サトウキビ、小麦、木材パルプ化から回収されたキシロースなどのセルロース系材料などが挙げられる。同様に、バイオ系ポリエチレンは、サトウキビ由来であるという観点から議論されている。当業者であれば、バイオ系ポリエチレンは、エタノールを製造するために発酵され得る任意の物質（例えば、糖）に由来し得ることを認識するであろう。そのような材料の例は、上記のもの、細菌、酵母、トウモロコシ、セルロース系材料などの、生物原料及び農業原料の両方を含むことができる。
【０１１９】
吸収性物品は、一般に、バイオ系含有量に関して論じられてきたが、吸収性物品はまた、非バイオ系材料をも含み得ることを理解されたい。例えば、本発明において使用され得る非バイオ系ポリマーとしては、ポリエチレン、ポリプロピレン、ポリエステル、ナイロン、合成ゴム、ならびにそれらのホモポリマー及びコポリマーが挙げられる。
【０１２０】
本明細書に記載された本発明の多くの修正及び他の実施形態は、前述の説明及び関連する図面に示された教示の利益を有することに関係し、これらの発明に関係する当業者には思いあたるであろう。したがって、本発明は、開示される特定の実施形態に限定されるものではなく、修正及び他の実施形態は、添付の特許請求の範囲内に含まれることが意図されることが理解されるべきである。本明細書では特定の用語を使用しているが、それらは一般的かつ説明的な意味でのみ使用され、限定の目的では使用されない。
【図１】
2018525170.tif 000003
【図２】
2018525170.tif 000004
【図３】
2018525170.tif 000005
【図４】
2018525170.tif 000006
【国際調査報告】
2018525170.tif 000007
2018525170.tif 000008
2018525170.tif 000009